(57)【要約】【課題】  本考案は、軒樋を流下する雨水を分流して、貯水タンクに導入するための軒樋の中間部に簡易に装着して使用する安価な雨水貯水用継手パイプを提供することを目的とする。【解決手段】  本考案の雨水貯水用継手バルブ１は、軒樋２に接続するために上から順に配置された第１直管、第１継手管、第２直管、第２継手管、第３直管、分流管１４、第３直管、開閉バルブ３、第３直管、第２継手管をそれぞれ嵌合連結して構成されてなる。前記分流管１２は、塩ビパイプからなり、周壁に分流する排出口１４を設け、前記第３直管の外側が嵌合する内径を有する。さらに、前記排出口１４には導出管を嵌合して貯水タンク５へ導水する導水ホース４が接続できるように構成する。前記開閉バルブ３は、前記第３直管の外側が嵌合する内径を有する既存のネジ栓式としたがこれに限らず、開閉機能を有するものであればどの形式でもよい。【選択図】  図１
0003117067.tif 000002
【実用新案登録請求の範囲】
【請求項１】
軒樋に接続できるように上から順に配置された第１直管、第１継手管、第２直管、第２継手管、第３直管、分流管、第３直管、開閉バルブ、第３直管、第２継手管をそれぞれ嵌合連結して構成されてなり、前記開閉バルブの上流の前記分流管には周壁に分流する排出口を設け、さらに前記排出口には導出管を嵌合して貯水タンクへ導水する導水ホースが接続できるように構成し、前記開閉バルブを開閉することにより軒樋を流下する雨水を分流して貯水タンクに導入又は地面への排出を切換操作することを特徴とする雨水貯水用継手バルブ。
【請求項２】
前記第２継手管は、前記第２直管が内側に嵌合する中径部Ｂと該中径部Ｂより小径の小径部Ｃを有し、前記中径部Ｂと小径部Ｃとの段差部には金網等の網を載置固定することを特徴とする請求項１記載の雨水貯水用継手バルブ。
【考案の詳細な説明】
【技術分野】
【０００１】
本考案は、軒樋を流下する雨水を分流して、貯水タンクに導入するための軒樋の中間部に装着して使用する雨水貯水用継手パイプに関する。
【背景技術】
【０００２】
従来、雨水の有効利用を目的として、竪樋内を流下する雨水を取水して、雨水貯水槽に導入する方法は、これまでに多数考案され、また一部使用されている。
しかしながら、上記公知技術は、貯水槽と直接固定するため貯水槽を移動させることが出来なかった。
一方、上下面が開口された垂直管からなる継手に、垂直管の内表面から内側上方に延びる環状の土手を設けて案内溝を構成し、垂直管の外側面に案内溝の底部と連絡する取水管を取付け、案内溝の底部に向って傾斜させる雨樋の取水口付き継手構造が公知となっている（特許文献１を参照）。
また、立樋に接続され、該立樋から落下する雨水を一時的に蓄溜する雨水蓄溜部と、該雨水蓄溜部における水位が所定レベルに達した時に溢水して排出口側に導入すべく形成された溢水排出部と、前記雨水蓄溜部の下方側に設置されて前記雨水蓄溜部内の雨水を部外に排水するための雨水取出口とを備えた雨水貯水装置が公知となっている（特許文献２を参照）。
【特許文献１】実公平７-１２５１６号公報
【特許文献２】特開２０００-３５２０７９号公報
【考案の開示】
【考案が解決しようとする課題】
【０００３】
本考案は、軒樋を流下する雨水を分流して、貯水タンクに導入するための軒樋の中間部に簡易に装着して使用する安価な雨水貯水用継手パイプを提供することを目的とする。
【課題を解決するための手段】
【０００４】
本考案の雨水貯水用継手バルブは、軒樋に接続できるように上から順に配置された第１直管、第１継手管、第２直管、第２継手管、第３直管、分流管、第３直管、開閉バルブ、第３直管、第２継手管をそれぞれ嵌合連結して構成されてなり、前記開閉バルブの上流の前記分流管には周壁に分流する排出口を設け、さらに前記排出口には導出管を嵌合して貯水タンクへ導水する導水ホースが接続できるように構成し、前記開閉バルブを開閉することにより軒樋を流下する雨水を分流して貯水タンクに導入又は地面への排出を切換操作するものである。
【考案の効果】
【０００５】
本考案は、既存の塩ビパイプや開閉弁により製造可能で且つ軒樋に簡便に交換取付けが可能で、開閉バルブを使用して軒樋を流下する雨水を分流して貯水タンクに導入するため、操作が簡単に行えると共に安価に製造することができる。
【考案を実施するための最良の形態】
【０００６】
本考案の雨水貯水用継手バルブの一実施例を図面に基づいて、以下に説明する。
図１に示すように、本考案の雨水貯水用継手バルブ１は屋根の雨樋により集めた雨水を垂直に流下する軒樋２の中間部に装着され、前記雨水貯水用継手バルブ１の開閉バルブ３の開閉により雨水を導水ホース４を介して貯水タンク５に貯水したり、そのまま上方の軒樋２から垂直に下方の軒樋２へ流下させて地面６に排水したりすることができるようになっている。
【０００７】
図２、３に示すように、前記雨水貯水用継手バルブ１は、上から順に配置された第１直管７、第１継手管８、第２直管９、第２継手管１０、第３直管１１、分流管１２、第３直管１１、開閉バルブ３、第３直管１１、第２継手管１０をそれぞれ嵌合連結して構成されてなる。
前記第１直管７は、合成樹脂製パイプ、例えば塩ビパイプからなり、前記軒樋２が内側に嵌合する内径を有する。
前記第１継手管８は、合成樹脂製パイプ、例えば塩ビパイプからなり、図３に示すように前記第１直管７が内側に嵌合する大径部Ａと前記軒樋２より小径の中径部Ｂを有する。
前記第２直管９は、合成樹脂製パイプ、例えば塩ビパイプからなり、図３に示すように前記第１継手管８の中径部Ｂの内側に嵌合する外径を有する。
【０００８】
前記第２継手管１０は、合成樹脂製パイプ、例えば塩ビパイプからなり、図３に示すように前記第２直管９が内側に嵌合する中径部Ｂと該中径部Ｂより小径の小径部Ｃを有する。なお、前記中径部Ｂと小径部Ｃとの段差部には金網等の網１３を載置固定する。
前記第３直管１１は、合成樹脂製パイプ、例えば塩ビパイプからなり、前記第２継手管１０の小径部Ｃの内側に嵌合する外径を有する。
前記分流管１２は、合成樹脂製パイプ、例えば塩ビパイプからなり、周壁に分流する排出口１４を設け、前記第３直管１１の外側が嵌合する内径を有する。さらに、前記排出口１４には導出管１５を嵌合して貯水タンク５へ導水する導水ホース４が接続できるように構成する。
前記開閉バルブ３は、前記第３直管１１の外側が嵌合する内径を有する既存のネジ栓式としたがこれに限らず、開閉機能を有するものであればどの形式でもよい。
【０００９】
次に、本考案の雨水貯水用継手バルブの使用方法を図面に基づいて、以下に説明する。
本考案の雨水貯水用継手バルブ１は、あらかじめ軒樋に接続できるように図２に示すように上から順に第１直管７、第１継手管８、第２直管９、第２継手管１０、第３直管１１、分流管１２、第３直管１１、開閉バルブ３、第３直管１１、第２継手管１０をそれぞれ組立構成して置く。
なお、最下端の第２継手管１０は小径部Ｃが上で中径部Ｂが下となり、中径部Ｂが軒樋２と嵌合するように逆向きに配置する。
そして、既設の軒樋２の中間部を雨水貯水用継手バルブ１が挿入できる範囲で除去し、その除去した部分に雨水貯水用継手バルブ１を嵌合して図１に示すように組立構成することができる。
前記雨水貯水用継手バルブ１の設置位置は、除去する軒樋２の位置により調整することができるが、前記雨水貯水用継手バルブ１の第３直管１１の長さを変更することにより調整することもできる。
【００１０】
屋根に降った雨は雨水となって雨樋を経由して軒樋２に集まり、雨水となって軒樋２を流下する。
この雨水を利用するには、通常は開いている開閉バルブ３を閉じて下方に雨水を流さないようにし、開閉バルブ３で堰止められた雨水は分流管１２に溜まり、排出口１４、導出管１５、導水ホース４を経て貯水タンク５に貯められる。
前記貯水タンク５は、持ち運びが出来るような容量のポリタンクが望ましく、貯まった雨水を運搬できることが農業用水等に有効に利用できることになる。
前記貯水タンク５が満杯になったら、前記開閉バルブ３を開いて分流管１２から下方の軒樋２を経て地面に直接排出するようにする。
なお、落ち葉等のゴミが軒樋２から雨水貯水用継手バルブ１に落下してきても、途中に第２継手管１０の網１３により堰き止められる。もしも、落ち葉等のゴミが一杯になったら、雨水貯水用継手バルブ１を第２継手管１０の部分で分離して、逆さまにすることによりゴミを排除することが出来る。
【図面の簡単な説明】
【００１１】
【図１】本考案の雨水貯水用継手バルブの使用状態を示す説明図である。
【図２】本考案の雨水貯水用継手バルブの正面図である。
【図３】本考案の雨水貯水用継手バルブの要部断面正面図である。
【符号の説明】
【００１２】
１  雨水貯水用継手バルブ
２  軒樋
３  開閉バルブ
４  導水ホース
５  貯水タンク
６  地面
７  第１直管
８  第１継手管
９  第２直管
１０  第２継手管
１１  第３直管
１２  分流管
１３  網
１４  排出口
１５  導出管
【図１】
0003117067.tif 000003
【図２】
0003117067.tif 000004
【図３】
0003117067.tif 000005